(57)【特許請求の範囲】
【請求項１】
鉄筋や連続繊維補強材などのコンクリート構造物の補強筋の外周部に設けられた凹部に、不織布やスポンジなどの吸水性を有する排水材を設けた排水機能付き補強材がコンクリートの内部に設けられていることを特徴とするコンクリート構造物。
【請求項２】
請求項１記載のコンクリート構造物において、前記コンクリートの内部に前記排水機能付き補強材が傾斜状態で設けられていることを特徴とするコンクリート構造物。
【請求項３】
鉄筋や連続繊維補強材などのコンクリート構造物の補強筋に排水材を設けて成る排水機能付き補強材を、コンクリートを固化せしめて前記コンクリート構造物を形成する際に該コンクリートの内部に設けることで該コンクリートの内部に生じる余剰水を排出除去する方法であって、前記コンクリート構造物を形成する際に用いる型枠の外面に該型枠を保持する緊結部材を設け、更に、この緊結部材を構成し前記型枠の内側に当接するコーンの内部に形成した空隙部と連通するように前記排水機能付き補強材を予め設けておき、前記型枠の内側に導入した前記コンクリートの内部に生じる余剰水を前記排水機能付き補強材及び前記空隙部を介して排水除去することを特徴とするコンクリート余剰水の排水除去方法。
【請求項４】
鉄筋や連続繊維補強材などのコンクリート構造物の補強筋に排水材を設けて成る排水機能付き補強材を、コンクリートを固化せしめて前記コンクリート構造物を形成する際に該コンクリートの内部に設けることで該コンクリートの内部に生じる余剰水を排出除去する方法であって、前記コンクリート構造物を形成する際に用いる型枠の外面に該型枠を保持する緊結部材を設け、更に、この緊結部材を構成し前記型枠の内側に当接するコーンの内部に形成した空隙部と連通するように前記排水機能付き補強材を予め設けておくと共に、前記緊結部材を構成し前記コンクリートを貫通する管状のセパレータを前記コーンに、このコーンに形成され前記空隙部と連通する空洞部と連通状態で予め設けておき、前記型枠の内側に導入した前記コンクリートの内部に生じる余剰水を前記セパレータ，空洞部及び空隙部を介して排水除去することを特徴とするコンクリート余剰水の排水除去方法。
【請求項５】
請求項３，４いずれか１項に記載のコンクリート余剰水の排水除去方法において、前記コンクリートの内部に前記排水機能付き補強材が傾斜状態で設けられていることを特徴とするコンクリート余剰水の排水除去方法。
【請求項６】
請求項３〜５いずれか１項に記載のコンクリート余剰水の排水除去方法において、前記排水材として不織布やスポンジなどの吸水性を有する排水材を採用したことを特徴とするコンクリート余剰水の排水除去方法。
【請求項７】
請求項３〜６いずれか１項に記載のコンクリート余剰水の排水除去方法において、前記緊結部材は、前記コンクリートを貫通する管状のセパレータと、前記型枠の内側に当接するコーンと、前記型枠の外側に当接し前記コーンと連結部材を介して連結される型枠締付体とで構成されていることを特徴とするコンクリート余剰水の排水除去方法。
【発明の詳細な説明】
【０００１】
【発明の属する技術分野】
本発明は、コンクリート構造物及びコンクリート余剰水の排水除去方法に関するものである。
【０００２】
【従来の技術及び発明が解決しようとする課題】
コンクリート打設時には、コンクリートに多量の水を含ませているので、コンクリートの打ち込みが終わった後も打設コンクリート中の固体粒子の沈下を伴って余分な水が分離して上昇するブリージング現象が発生し、このブリージング現象によって、垂直方向での水セメント比が一定でなくなり硬化コンクリートの品質が不均一になったり、コンクリートの上部が多孔質になったりして、コンクリートの強度が低下して耐久性が悪化したり、コンクリートの表面にアバタが発生して外観上の問題がでたりしている。
【０００３】
そこで、従来、前述の問題を解決するために、コンクリートの型枠に不織布を設けるなどして不織布により余分な水を吸収させようとしたり、緊結材により余剰水を排出させたりしている。
【０００４】
しかしながら、前記従来の方法では、コンクリート中の余分な水を十分に除去することができないため、コンクリートの耐久性を十分に高めることはできず、コンクリートを高品質に打設することはできなかった。
【０００５】
本発明は、前記従来の課題を解決するためになされたものであり、コンクリートの品質を均一化して強度や耐久性を向上させた高品質のコンクリート構造物及びコンクリート余剰水の排水除去方法を提供するものである。
【０００６】
【課題を解決するための手段】
鉄筋や連続繊維補強材などのコンクリート構造物の補強筋１の外周部に設けられた凹部に、不織布やスポンジなどの吸水性を有する排水材２を設けた排水機能付き補強材３がコンクリート４の内部に設けられていることを特徴とするコンクリート構造物に係るものである。
【０００７】
また、請求項１記載のコンクリート構造物において、前記コンクリート４の内部に前記排水機能付き補強材３が傾斜状態で設けられていることを特徴とするコンクリート構造物に係るものである。
【０００８】
また、鉄筋や連続繊維補強材などのコンクリート構造物の補強筋１に排水材２を設けて成る排水機能付き補強材３を、コンクリート４を固化せしめて前記コンクリート構造物を形成する際に該コンクリート４の内部に設けることで該コンクリート４の内部に生じる余剰水を排出除去する方法であって、前記コンクリート構造物を形成する際に用いる型枠６の外面に該型枠６を保持する緊結部材８を設け、更に、この緊結部材８を構成し前記型枠６の内側に当接するコーン９の内部に形成した空隙部12と連通するように前記排水機能付き補強材３を予め設けておき、前記型枠６の内側に導入した前記コンクリート４の内部に生じる余剰水を前記排水機能付き補強材３及び前記空隙部12を介して排水除去することを特徴とするコンクリート余剰水の排水除去方法に係るものである。
【０００９】
また、鉄筋や連続繊維補強材などのコンクリート構造物の補強筋１に排水材２を設けて成る排水機能付き補強材３を、コンクリート４を固化せしめて前記コンクリート構造物を形成する際に該コンクリート４の内部に設けることで該コンクリート４の内部に生じる余剰水を排出除去する方法であって、前記コンクリート構造物を形成する際に用いる型枠６の外面に該型枠６を保持する緊結部材８を設け、更に、この緊結部材８を構成し前記型枠６の内側に当接するコーン９の内部に形成した空隙部12と連通するように前記排水機能付き補強材３を予め設けておくと共に、前記緊結部材８を構成し前記コンクリート４を貫通する管状のセパレータ７を前記コーン９に、このコーン９に形成され前記空隙部12と連通する空洞部14と連通状態で予め設けておき、前記型枠６の内側に導入した前記コンクリート４の内部に生じる余剰水を前記セパレータ７，空洞部14及び空隙部12を介して排水除去することを特徴とするコンクリート余剰水の排水除去方法に係るものである。
【００１０】
また、請求項３，４いずれか１項に記載のコンクリート余剰水の排水除去方法において、前記コンクリート４の内部に前記排水機能付き補強材３が傾斜状態で設けられていることを特徴とするコンクリート余剰水の排水除去方法に係るものである。
【００１１】
また、請求項３〜５いずれか１項に記載のコンクリート余剰水の排水除去方法において、前記排水材２として不織布やスポンジなどの吸水性を有する排水材２を採用したことを特徴とするコンクリート余剰水の排水除去方法に係るものである。
【００１２】
また、請求項３〜６いずれか１項に記載のコンクリート余剰水の排水除去方法において、前記緊結部材８は、前記コンクリート４を貫通する管状のセパレータ７と、前記型枠６の内側に当接するコーン９と、前記型枠６の外側に当接し前記コーン９と連結部材11を介して連結される型枠締付体10とで構成されていることを特徴とするコンクリート余剰水の排水除去方法に係るものである。
【００１３】
【発明の作用及び効果】
コンクリート構造物の補強筋１に不織布やスポンジなどの吸水性を有する排水材２を設けた排水機能付き補強材３をコンクリート４の内部に設けることで、コンクリート４の内部の余剰水を排水材２を設けた排水機能付き補強材３を介してコンクリート４の外部へ効率良く除去することができ、ブリージング現象によって垂直方向での水セメント比が一定でなくなるような状況が解消できるから、垂直方向でも水セメント比を一定にでき、硬化コンクリートの品質を均一化して強度や耐久性を向上させた高品質のコンクリート構造物とすることができる。
【００１４】
また、コンクリート構造物となるコンクリート４の内部に排水材２をコンクリート構造物の補強筋１に付設して設けることで、コンクリート４の内部の余剰水をコンクリート構造物の補強筋１に付設した排水材２を介してコンクリート４の外部へ効率良く除去することができ、ブリージング現象によって垂直方向での水セメント比が一定でなくなるような状況が解消できるから、垂直方向でも水セメント比を一定にでき、硬化コンクリートの品質を均一化して強度や耐久性を向上させた高品質のコンクリート構造物を作ることのできるコンクリート余剰水の排水除去方法とすることができる。
【００１５】
また、コンクリート構造物の補強筋１の外周部に適宜凹部を設け、該凹部に排水材２を設けて排水機能付き補強材３を構成したから、排水材２をコンクリート構造物の補強筋１に確実に取り付けできると共に、コンクリート構造物の補強筋１の凹部に排水材２を設けることで、コンクリート４の内部の余剰水は排水材２に効率良く吸収されてコンクリート構造物の補強筋１の凹部内を流れてコンクリート４の外部に効率良く除去される。
【００１６】
また、コンクリート４の内部に排水機能付き補強材３を傾斜状態に設けると、コンクリート４の内部の余剰水は排水機能付き補強材３に設けた排水材２に吸収された後、傾斜状態の排水機能付き補強材３の上方から下方に効率良く流れることができると共に、コンクリート４の内部に排水機能付き補強材３を傾斜状態に設けたから、コンクリート構造物となるコンクリート４の側面に排水機能付き補強材３の下方部が近接して、この排水機能付き補強材３の下方部から余剰水をコンクリート４の外部へ効率良く除去することができる。
【００１７】
緊結部材８を構成し型枠６の内側に当接するコーン９の内部に形成した空隙部12に連設するように排水機能付き補強材３を設けたから、コンクリート４の内部の余剰水はコンクリート４の内部に設けたコンクリート構造物の補強筋１に吸収された後、余剰水はコンクリート４の内部に設けた排水機能付き補強材３からコーン９の内部に形成した空隙部12に流れて、この空隙部12を経由してコンクリート４の外部に効率よく流出し、コンクリート４の内部の余剰水を非常に効率良くコンクリート４の外部に除去することができる。
【００１８】
緊結部材８のコンクリート４を貫通するセパレータ７を管状に形成し、セパレータ７の管内とコンクリート４の内部に設けた排水機能付き補強材３とを連通するように構成すると、コンクリート４の内部の余剰水はコンクリート４の内部に設けた排水機能付き補強材３に吸収された後、余剰水はコンクリート４の内部に設けた排水機能付き補強材３からセパレータ７の管内に流れて、セパレータ７の管内を経由してコンクリート４の外部に効率良く流出し、コンクリート４の内部の余剰水を非常に効率良くコンクリート４の外部に除去することができる。
【００１９】
【発明の実施の形態】
本発明の一実施例に係るコンクリート構造物及びコンクリート余剰水の排水除去方法に関して以下図面に基づき説明する。
【００２０】
図１に図示したように、コンクリート構造物のコンクリート４の内部に鉄筋や連続繊維補強材などのコンクリート構造物の補強筋１に不織布やスポンジなどの吸水性を有する排水材２を設けた排水機能付き補強材３をコンクリート構造物の補強筋１と併設して垂直方向に適宜設け、さらに、不織布やスポンジなどの吸水性を有する排水材２若しくは排水機能付き補強材３をコンクリート４の内部に傾斜状態で適宜設ける。
【００２１】
コンクリート構造物のコンクリート４の外周面には、内側に不織布やスポンジなどの吸水性を有する排水材２を設けた型枠６を設け、この型枠６を保持するために緊結部材８をコンクリート構造物を貫通させて型枠６の外面に適宜取付ける。
【００２２】
コンクリート４の内部に傾斜状態で設けた排水材２若しくは排水機能付き補強材３の下方部には、この排水材２若しくは排水機能付き補強材３と型枠６の内側に設けた排水材２とを連設する排水材２を適宜設ける。
【００２３】
前記緊結部材８のコンクリート構造物を貫通するセパレータ７を管状に形成し、このセパレータ７の管内とコンクリート４の内部に設けた排水材２若しくは排水機能付き補強材３とを連通するように構成する。
【００２４】
型枠６を保持するための緊結部材８は、コンクリート構造物を貫通するセパレータ７の両側に型枠６の内側と当接するコーン９を設け、型枠６の外側からセパレータ７を保持するためにコーン９と連結部材11を介して型枠６の外側に型枠締付体10を設けている。
【００２５】
尚、セパレータ７の端部を保持するコーン９の内部には、コーン９の型枠６当接面側に設けた空隙部12と連通する空洞部14をセパレータ７の端部と連通するように設けている。
【００２６】
次に、前記排水機能付き補強材３の構造について図２〜４に基づき説明する。
【００２７】
図２に図示した排水機能付き補強材３は、鉄筋や連続繊維補強材などのコンクリート構造物の補強筋１の外周に不織布などの排水材２を適宜設けたものである。
【００２８】
図３に図示した排水機能付き補強材３は、管状のコンクリート構造物の補強筋１に適宜中空部と外周部とを連通する孔５を設け、中空部に排水材２を設けたものである。
【００２９】
図４に図示した排水機能付き補強材３は、コンクリート構造物の補強筋１の外周部に適宜凹部を設け、この凹部に排水材２を設けたものである。
【００３０】
コンクリート構造物に排水機能付き補強材３を用いた例を図５に図示する。
【００３１】
図５に図示したコンクリート構造物に用いる排水機能付き補強材３は、コンクリート４の内部の垂直方向に鉄筋や連続繊維補強材などのコンクリート構造物の補強筋１に不織布などの排水材２を設けた排水機能付き補強材３をコンクリート構造物の補強筋１と併設して適宜設け、この排水機能付き補強材３若しくはコンクリート構造物の補強筋１の外周面に排水機能を付加したコンファインド材などの排水機能付き補強材３を設けたものである。
【００３２】
尚、排水機能を付加したコンファインド材などの排水機能付き補強材３は、コンクリート構造物の補強筋１と併設して垂直方向に設けた排水機能付き補強材３と連設して設け、コンファインド材などの排水機能付き補強材３に吸収された余剰水がコンクリート構造物の補強筋１と併設して垂直方向に設けた排水機能付き補強材３に流れるようにしている。余剰水は垂直方向に設けた排水機能付き補強材３の下方に流れ、この排水機能付き補強材３の下方部からコンクリート４の外部に流出する。
【００３３】
垂直方向に設けたコンクリート構造物の補強筋１若しくは排水機能付き補強材３の外周面には、排水機能を付加したコンファインド材などの排水機能付き補強材３に代えて、排水材２を設けてもよく、また、排水機能付き補強材３若しくは排水材２を螺旋状に設ければ、垂直方向に設けた排水機能付き補強材３と連設しなくとも螺旋状に設けた排水機能付き補強材３若しくは排水材２の下方部から余剰水をコンクリート４の外部へ流出させることができる。
【００３４】
また、図６に図示したように、型枠６を保持するために設けた緊結部材８のコーン９の空隙部12に排水機能付き補強材３若しくは排水材２を連接して余剰水をコンクリート４の外部へ排出する構造について詳述すると、セパレータ７に連結したコーン９を型枠６の内側に当接し、型枠６の外側に排水材２を介して型枠締付体10を連結部材11でコーン９に連結して型枠６に緊結部材８を取り付け固定する。
【００３５】
コンクリート４の内部に設けた排水機能付き補強材３の端部をコーン９の型枠６当接面側の中央部に設けた空隙部12に連通するようにコーン９の内部に取り付ける。
【００３６】
以上のように構成すると、排水機能付き補強材３の端部に流出する余剰水は、コーン９の空隙部12に流れ、続いて、型枠６を貫通させて設けた連結部材11の外周部の間隙部13を通って、型枠６の外側に設けた排水材２に流れてコンクリート４の外部に流出する。
【００３７】
コンクリート構造物の内部に排水材２若しくは排水機能付き補強材３を設けた具体例を前述したが、前記具体例は一例であり、コンクリート構造物の内部に排水材２若しくは排水機能付き補強材３をどのように設けるかは適宜設定できるものである。
【００３８】
また、コンクリート構造物の補強筋１と排水材２若しくは排水機能付き補強材３との組み合わせ方法及び組み合わせ構造も適宜設定できる。
【００３９】
以上のように、鉄筋や連続繊維補強材などのコンクリート構造物の補強筋１に不織布やスポンジなどの吸水性を有する排水材２を設けて排水機能を付加した排水機能付き補強材３若しくは不織布やスポンジなどの吸水性を有する排水材２をコンクリート４の内部に設けることで、コンクリート４の内部の余剰水を排水材２を設けた排水機能付き補強材３若しくは排水材２を介してコンクリート４の外部へ効率良く除去することができ、ブリージング現象によって垂直方向での水セメント比が一定でなくなるような状況が解消できるから、垂直方向でも水セメント比を一定にでき、硬化コンクリートの品質を均一化して強度や耐久性を向上させた高品質のコンクリート構造物とすることができる。
【００４０】
また、コンクリート構造物のコンクリート４の内部に排水材２をコンクリート構造物の補強筋１と併設して若しくはコンクリート構造物の補強筋１に付設して設けることで、コンクリート４の内部の余剰水をコンクリート構造物の補強筋１と併設した若しくはコンクリート構造物の補強筋１に付設した排水材２を介してコンクリート４の外部へ効率良く除去することができ、ブリージング現象によって垂直方向での水セメント比が一定でなくなるような状況が解消できるから、垂直方向でも水セメント比を一定にでき、硬化コンクリートの品質を均一化して強度や耐久性を向上させた高品質のコンクリート構造物を作ることのできるコンクリート余剰水除去方法とすることができる。
【００４１】
また、コンクリート構造物の補強筋１の外周に排水材２を設けて排水機能付き補強材３を構成するから、例えば、従来の鉄筋などのコンクリート構造物の補強筋１の外周に単に不織布などの排水材２を設けるだけの簡易な構成の排水機能付き補強材３とすることができる。
【００４２】
また、管状のコンクリート構造物の補強筋１に適宜中空部と外周部とを連通する孔５を設け、該中空部に排水材２を設けて排水機能付き補強材３を構成するから、コンクリート４の内部の余剰水はコンクリート構造物の補強筋１の孔５を通って中空部に設けた排水材２に確実に吸収され、余剰水はコンクリート構造物の補強筋１の中空部内を流れてコンクリート４の外部に効率良く除去される。
【００４３】
また、コンクリート構造物の補強筋１の外周部に適宜凹部を設け、該凹部に排水材２を設けて排水機能付き補強材３を構成したから、排水材２をコンクリート構造物の補強筋１に確実に取り付けできると共に、コンクリート構造物の補強筋１の凹部に排水材２を設けることで、コンクリート４の内部の余剰水は排水材２に効率良く吸収されてコンクリート構造物の補強筋１の凹部内を流れてコンクリート４の外部に効率良く除去される。
【００４４】
また、コンクリート４の内部に排水機能付き補強材３若しくは排水材２を傾斜状態に設けると、コンクリート４の内部の余剰水は排水機能付き補強材３に設けた排水材２若しくは排水材２に吸収された後、傾斜状態の排水機能付き補強材３若しくは排水材２の上方から下方に効率良く流れることができると共に、コンクリート４の内部に排水機能付き補強材３若しくは排水材２を傾斜状態に設けたから、コンクリート構造物の側面に排水機能付き補強材３若しくは排水材２の下方部が近接して、この排水機能付き補強材３若しくは排水材２の下方部から余剰水をコンクリート４の外部へ効率良く除去することができる。
【００４５】
また、コンクリート構造物となるコンクリート４の外周面に設ける型枠６の内側に排水材２を設け、該排水材２とコンクリート４の内部に設けた排水材２若しくは排水機能付き補強材３とを連設したから、コンクリート４の内部の余剰水はコンクリート４の内部に設けた排水材２若しくは排水機能付き補強材３に吸収された後、余剰水はコンクリート４の内部に設けた排水材２若しくは排水機能付き補強材３から型枠６の内側に設けた排水材２に流れ、コンクリート４の内部の余剰水を非常に効率良くコンクリート４の外部に除去することができる。
【００４６】
型枠６の内側に当接する緊結部材８を構成するコーン９の内部に形成した空隙部12に連設するように排水機能付き補強材３若しくは排水材２を設けたから、コンクリート４の内部の余剰水はコンクリート４の内部に設けた排水材２若しくは排水機能付き補強材３に吸収された後、余剰水はコンクリート４の内部に設けた排水材２若しくは排水機能付き補強材３からコーン９の内部に形成した空隙部12に流れて、この空隙部12を経由してコンクリート４の外部に効率よく流出し、コンクリート４の内部の余剰水を非常に効率良くコンクリート４の外部に除去することができる。
【００４７】
緊結部材８のコンクリート４を貫通するセパレータ７を管状に形成し、セパレータ７の管内とコンクリート４の内部に設けた排水材２若しくは排水機能付き補強材３とを連通するように構成すると、コンクリート４の内部の余剰水はコンクリート４の内部に設けた排水材２若しくは排水機能付き補強材３に吸収された後、余剰水はコンクリート４の内部に設けた排水材２若しくは排水機能付き補強材３からセパレータ７の管内に流れて、セパレータ７の管内を経由してコーン９の空洞部14に流れ、続いて、空隙部12から型枠６の内側に設けた排水材２に流れてコンクリート４の外部に効率良く流出し、コンクリート４の内部の余剰水を非常に効率良くコンクリート４の外部に除去することができる。
【図面の簡単な説明】
【図１】  本発明の一実施例に係るコンクリート構造物及びコンクリート余剰水の排水除去方法を示す説明図である。
【図２】  本発明の一実施例に係るコンクリート構造物及びコンクリート余剰水の排水除去方法に使用する排水機能付き補強材を示す断面図である。
【図３】  本発明の一実施例に係るコンクリート構造物及びコンクリート余剰水の排水除去方法に使用する排水機能付き補強材を示す断面図である。
【図４】  本発明の一実施例に係るコンクリート構造物及びコンクリート余剰水の排水除去方法に使用する排水機能付き補強材を示す断面図である。
【図５】  本発明の別実施例に係るコンクリート構造物を示す斜視図である。
【図６】  本発明の一実施例に係るコンクリート余剰水の排水除去方法を示す部分拡大説明図である。
【符号の説明】
１  コンクリート構造物の補強筋
２  排水材
３  排水機能付き補強材
４  コンクリート
５  孔
６  型枠
７  セパレータ
８  緊結部材
９  コーン
10  型枠締付体
11  連結部材
12  空隙部
【図１】
0003935551.tif 000002
【図２】
0003935551.tif 000003
【図３】
0003935551.tif 000004
【図４】
0003935551.tif 000005
【図５】
0003935551.tif 000006
【図６】
0003935551.tif 000007